(57)【要約】【課題】  操作者が正確な入力操作を確実かつ容易に行うことのできる入力方法および入力装置を提供する。【解決手段】  １次入力操作に用いる平面型の第１入力手段６と、２次入力操作に用いる第２入力手段７と、情報の表示を行う表示部５ａを具備する表示手段２と、各部の動作を司る制御手段１３とを設け、制御手段１３は、１次入力操作により得られる入力情報を仮表示することにより操作者にフィードバックした後、２次入力操作により入力を確定するように構成する。【選択図】      図１
2005316931.tif 000002
【特許請求の範囲】
【請求項１】
静電容量式センサあるいは感応式センサにより形成されている座標入力が可能な平面型の入力手段により情報の入力を行うとともに、この入力情報を表示手段により表示する入力方法であって、
１次入力操作により得られる入力情報を仮表示することにより操作者にフィードバックした後、２次入力操作により入力を確定することを特徴とする入力方法。
【請求項２】
静電容量式センサあるいは感応式センサにより形成されている座標入力が可能な平面型の第１入力手段と、前記第１入力手段の背面に配設され前記第１入力手段を押し込んだときにその押圧力によりスイッチング動作が可能な第２入力手段と、各部の動作を司る制御手段とを有する入力装置であって、
情報の表示を行う表示部を具備する表示手段が、前記制御手段と一体あるいは別体に配設されており、
前記制御手段は、少なくとも前記第１入力手段に対する接触操作により得られる入力情報を前記表示手段の表示部に仮表示した後、前記第２入力手段に対する操作により入力を確定するように構成されていることを特徴とする入力装置。
【請求項３】
前記第１入力手段の表面に指示表示が設けられていることを特徴とする請求項２に記載の入力装置。
【請求項４】
前記第２入力手段の数が単数であり、この単数の第２入力手段により、前記第１入力手段による座標入力の入力を確定するように構成されていることを特徴とする請求項２または請求項３に記載の入力装置。
【発明の詳細な説明】
【技術分野】
【０００１】
本発明は、操作者の押圧による入力操作を確実に行うのに好適な入力方法および入力装置に関する。
【背景技術】
【０００２】
従来から、携帯電話、携帯情報端末を始め各種の電子機器の入力装置として、平面型の入力装置が用いられている。
【０００３】
このような入力装置の１つとして、静電容量式センサあるいは感応式センサにより形成された座標入力が可能な平面型の入力装置がある。この静電容量式センサあるいは感応式センサ（以下、単にセンサと記す。）を用いた入力装置においては、入力操作時に、操作者がセンサに接触するだけで数値、記号などの入力が実現するため、操作感がなく、操作者の意図しない誤入力が生じる危険性が大きい。
【０００４】
そこで、センサに加えて、操作者の押圧操作に反力をもって応答するスイッチをセンサの背面に設けることにより、操作者に入力操作したことを認識させて、誤操作を抑制する入力装置が提案されている（例えば、特許文献１参照）。
【０００５】
【特許文献１】特開２００２−１２３３６３号公報
【発明の開示】
【発明が解決しようとする課題】
【０００６】
しかしながら、従来の入力装置においては、スイッチを押圧操作することで、操作者に入力操作したことを認識させることはできるものの、入力操作した入力結果（確定した入力）がデータ（入力装置の出力）として表示される構成となっているため、スイッチを押圧したか否かは表示されるデータを見なければ判らないという問題点があった。
【０００７】
すなわち、従来の入力装置は、スイッチを押圧操作する前には、入力操作が適正か否かを判断することができず、例えば誤って隣位する入力箇所を押してしまうなどという、入力操作すべき箇所と実際に入力操作した箇所とが異なるという入力ミス（誤入力）が生じる場合があるという問題点があった。このような入力ミスは、操作部の面積が小さいほど顕著なものとなる。また、入力ミスを生じた場合には、入力したデータを削除してから再入力を行うという訂正入力操作が必要となり、操作性に劣るという問題点があった。
【０００８】
そこで、操作者が正確な入力操作を確実かつ容易に行うことのできる操作性に優れた入力方法および入力装置が求められている。
【０００９】
本発明はこの点に鑑みてなされたものであり、操作者が正確な入力操作を確実かつ容易に行うことのできる入力方法および入力装置を提供することを目的とする。
【課題を解決するための手段】
【００１０】
前述した目的を達成するため本発明に係る入力方法の特徴は、静電容量式センサあるいは感応式センサにより形成されている座標入力が可能な平面型の入力手段により情報の入力を行うとともに、この入力情報を表示手段により表示する入力方法であって、１次入力操作により得られる入力情報を仮表示することにより操作者にフィードバックした後、２次入力操作により入力を確定する点にある。そして、このような構成を採用したことにより、入力を確定する前の入力情報を仮表示によって操作者が予め認識できるので、入力ミスを確実かつ容易に防止することができる。
【００１１】
一方、本発明に係る入力装置の特徴は、静電容量式センサあるいは感応式センサにより形成されている座標入力が可能な平面型の第１入力手段と、前記第１入力手段の背面に配設され前記第１入力手段を押し込んだときにその押圧力によりスイッチング動作が可能な第２入力手段と、各部の動作を司る制御手段とを有する入力装置であって、情報の表示を行う表示部を具備する表示手段が、前記制御手段と一体あるいは別体に配設されており、前記制御手段は、少なくとも前記第１入力手段に対する接触操作により得られる入力情報を前記表示手段の表示部に仮表示した後、前記第２入力手段に対する操作により入力を確定するように構成されている点にある。そして、このような構成を採用したことにより、第１入力手段を操作する１次入力操作により得られる入力情報を表示手段で仮表示することにより操作者にフィードバックした後、第２入力手段を操作する２次入力操作により入力を確定することができるので、入力を確定する前の入力情報を仮表示によって操作者が予め認識できる。その結果、入力ミスを確実かつ容易に防止することができる。
【００１２】
また、第１入力手段の表面に指示表示が設けられていることが好ましい。さらに、前記第２入力手段の数が単数であり、この単数の第２入力手段により、前記第１入力手段による座標入力の入力を確定するように構成されていることが好ましい。
【発明の効果】
【００１３】
本発明に係る入力方法および入力装置によれば、操作者が正確な入力操作を確実かつ容易に行うことができるなどの極めて優れた効果を奏する。
【発明を実施するための最良の形態】
【００１４】
以下、本発明を図面に示す実施形態により説明する。
【００１５】
図１から図５は本発明に係る入力方法を適用した入力装置の第１実施形態を示すものであり、図１は模式的斜視図、図２は入力手段の要部の模式的拡大分解斜視図、図３は入力手段の要部の模式的拡大縦断面図、図４は２次入力スイッチのＯＮ操作状態を示す説明図、図５は要部の機能ブロック図である。
【００１６】
図１に示すように、本実施形態の入力装置１は、表示手段２と入力手段３とを有しており、これらの表示手段２および入力手段３は、携帯電話の本体ケースなどの使用目的に応じた所定形状のケース４に搭載されるようになっている。
【００１７】
前記表示手段２は、少なくとも入力操作により得られる入力情報の表示を行うためのものであり、情報の表示を行う表示部（表示領域）５ａを備えた表示パネル５が用いられている。また、本実施形態の表示部５ａには、後述する表示シート１２の指示表示１２ａと同様の指示項目の入力箇所における入力情報が表示シート１２の指示表示１２ａと同一の位置関係で表示することができるように形成されている。
【００１８】
前記表示パネル５としては、液晶表示パネル、有機ＥＬパネルなどの従来公知の各種のものから設計コンセプトなどの必要に応じて選択使用されるるようになっている。
【００１９】
前記表示手段２による表示としては、モノクロ表示、マルチカラー表示、フルカラー表示などから装置の仕様や設計コンセプトなどの必要に応じて選択されるようになっている。
【００２０】
なお、表示パネル５の表示部５ａには、後述する確定する前の入力情報の仮表示を行う仮表示と確定した後の入力情報の実表示を行う実表示とを１つの表示領域において切り替えて表示する構成のものや、仮表示を行う仮表示領域と実表示を行う実表示領域との両者を１つの表示領域において個別に表示することのできる構成のものや、あるいは入力手段３と同様のグラフィックを表示しておき仮入力された情報に対応するグラフィック部分をハイライト表示させることのできる構成のものが、設計コンセプトなどの必要に応じて選択使用されるようになっている。
【００２１】
前記入力手段３は、情報の入力に用いるためのものであり、本実施形態の入力手段３は、図２および図３に示すように、１次入力操作に用いる第１入力手段としての１次入力用センサ６と、入力を確定する２次入力操作に用いる第２入力手段としての２次入力用スイッチ７とを有している。
【００２２】
前記１次入力用センサ６としては、静電容量式センサあるいは感応式センサにより形成されているとともに、座標入力が可能とされた平面型のものが用いられている。
【００２３】
一方の静電容量型のセンサとしては、特開２００１−３４４０６４号公報に記載されているような構造のものを例示できる。すなわち、Ａｇ（銀）系ペーストで形成されたＸ方向検出電極とＹ方向検出電極とが、絶縁性を有しかつ所定の誘電率を有するＰＥＴ（ポリエチレンテレフタレート）などで形成された樹脂シートの上下にマトリックス状に対向させられており、この樹脂シートを導電パターンが形成された基板上に配置し、前記各電極を前記基板に形成された導電パターンに接続するように構成される。このような構成からなる静電容量型のセンサによれば、センサの表面に指などの誘電体が触れることで、触れた位置においてＸ方向検出電極とＹ方向検出電極との間の静電容量が変化し、その結果Ｘ−Ｙ座標上での入力が可能となる。
【００２４】
他方の感圧式センサとしては、ＸおよびＹ方向に電位差が与えられた抵抗体と前記抵抗体に対向する導電体とを有する構成のものを例示できる。このような構成からなる感圧式センサによれば、センサの表面を指などで押されることで、導電体と抵抗体とが接触させられて抵抗値が変化し、座標を入力することが可能とされている。
【００２５】
前記２次入力用スイッチ７としては、１次入力用センサ６の表面側を操作者が指などで押し込んだときにその押圧力によりスイッチング動作が可能なものが用いられていおり、１次入力用センサ６の背面に配設されている。
【００２６】
本実施形態の２次入力用スイッチ７は、複数、本実施形態においては縦４列、横３行のマトリックス状に整列配置された総計１２個の固定電極８と、これらの固定電極８のそれぞれに対して個別に接離可能とされた総計１２個の可動電極９とを有している。
【００２７】
一方の固定電極８は、円形状に形成されており、１次入力用センサ６の背面側に配置されたプリント配線板１０上に配置されている（図３）。この配線板１０上には、各固定電極８を囲うようにほぼ円環状に形成された可動電極用接続端子９ａが設けられており、これらの固定電極８および可動電極用接続端子９ａは、従来公知の如く、プリント配線板１０に設けられている図示しない所定パターンの導電パターンに電気的に接続されている。
【００２８】
他方の可動電極９は、固定電極８と対向配置されているとともに、プリント配線板１０に設けられた可動電極用接続端子９ａと電気的に接続されている（図３）。
【００２９】
なお、固定電極８、可動電極９および可動電極用接続端子９ａの形状としては、従来公知の各種の形状から設計コンセプトなどの必要に応じて選択することができる。
【００３０】
前記１次入力用センサ６の背面には、絶縁性を有する樹脂シートからなるステムシート１１が配置され、このステムシート１１によって各可動電極９の上方に位置する１次入力用センサ６の表面側を指などで押し込んだ際の変位にともなって、図４に示すように、可動電極９が対応する固定電極８と接触するように形成されている。
【００３１】
なお、２次入力用スイッチ７に用いる電極の数は、設計コンセプトなどの必要に応じて設定することができる。
【００３２】
図２および図３に示すように、１次入力用センサ６の表面には、表示シート１２が積層されて固定されている。この表示シート１２は、ＰＥＴなどの樹脂製のシートあるいはシリコンラバーなどで形成されており、その表面には、２次入力用スイッチ７に用いる固定電極８および可動電極９からなる電極の数と位置に応じて設けられた文字、数字や記号などの複数、本実施形態においては、０〜９の数値と、＃および＊の記号との総計１２種類の情報に対する個別の入力箇所を示す指示表示１２ａが印刷あるいは転写などにより形成されている。また、それぞれの指示表示１２ａでは、入力箇所を示す円形の枠が形成され、その枠内に、０〜９の数値、＃および＊の記号のいずれかが印刷または転写により形成されている。
【００３３】
なお、表示シート１２としては、表面が平坦な平板状であってもよいし、指示表示１２ａの部分が凸形状あるいは凹形状となるように凹凸状に変形させられたものであってもよいし、表示シート１２の表面にゴム様弾性体などで形成された凸状体を固着し、この凸状体の表面に前記文字、数字または記号などを印刷あるいは転写する構成のものであってもよい。
【００３４】
また、表示シート１２は、装置の仕様、設計コンセプトなどの必要に応じて設ければよい。すなわち、表示シート１２、詳しくは指示表示１２ａを設けない構成とすることもできる。この場合、１次入力用センサ６の表面に、損傷や汚染を防止するための保護シートを設けるとよい。
【００３５】
図５に示すように、本実施形態の入力装置１には、各部の動作を司るための制御手段１３が設けられており、この制御手段１３には、少なくとも表示手段２および入力手段３が電気的に接続されている。
【００３６】
すなわち、本実施形態の入力装置１には、表示手段２が制御手段１３、詳しくは第１入力手段としての１次入力用センサ６、第２入力手段としての２次入力用スイッチ７および制御手段１３と一体に配設されている。
【００３７】
前記制御手段１３は、少なくともＣＰＵ１４と、適宜な容量のＲＯＭ、ＲＡＭなどにより形成されたメモリ１５を有している。そして、本実施形態のメモリ１５には、少なくとも１次入力用センサ６に対する接触操作により得られる入力情報を表示手段２の表示部５ａに仮表示した後、２次入力用スイッチ７に対する操作により入力を確定するように各部を制御する入力方法を実行するのに必要なプログラムおよびデータが記憶されるようになっている。
【００３８】
すなわち、メモリ１５には、１次入力用センサ６に対する接触操作により得られる入力情報を、入力情報に応じた表示に用いるデータからなる出力に変換し、この出力を表示手段２に送出することにより、表示手段２の表示部５ａの所定位置に入力情報を、点滅、輝度の差、色の違い、表示の大きさの違いなどにより仮表示した後、２次入力用スイッチ７に対するＯＮ操作により、入力を確定して仮表示を実表示（予め設定されている本来の表示）とするように各部を制御する入力方法を実行するのに必要なプログラムおよびデータが記憶されるようになっている。
【００３９】
なお、前述の入力を確定するための処理には、仮表示された内容をキャンセルし、再度、正しい入力を行えるように各部を制御する処理を含むものとする。その際、一次入力され、仮表示された入力情報のキャンセルの処理は、例えば、前記一次入力用センサ６と同様の構成のキャンセル用センサを前記入力装置に配設し、キャンセル用センサに対する接触操作を待って、仮表示された内容をキャンセルする処理を行うように制御する構成としてもよい。また、入力情報が仮表示されてから一定時間、実表示とする操作が行われない場合に仮表示された内容をキャンセルする処理を行うように制御する構成としてもよい。
【００４０】
また、確定した入力情報をメモリ１５の所定領域に順次記憶できるように構成してもよい。
【００４１】
前記メモリ１５には、電源投入時のイニシャライズ動作を行うプログラムなどの各種のプログラムや、表示を実行する際に必要なデータ、入力操作により得られた過去のデータなどの各種のデータなども記憶されるようになっている。
【００４２】
なお、メモリ１５には、指示表示１２ａを有する所定の入力箇所が指などで個別に触れられたときの所定の入力モード（指示表示入力モード）と、他の入力モード、すなわち座標入力モードと２つの異なる入力モードを設定するためのプログラムを記憶するとよい。
【００４３】
例えば、いずれかの指示表示１２ａが指などで押され、これが所定時間継続していることが検知されたときに、前記所定の入力モード（指示表示入力モード）が設定されたと認識するプログラムを挙げることができる。このモードでは、指示表示１２ａに表示された指示項目に対応して１次入力用センサ６に入力信号が与えられ、この入力信号に基づいて、文字、数字または記号の入力に応じた出力信号が生成され、表示手段２の表示部５ａの所定位置に、文字、数字または記号の表示が仮表示されることになる。そして、指示表示１２ａに表示された指示項目に対応して２次入力用スイッチ７が操作されると、仮表示されている指示項目が入力情報として確定して実表示されるとともに、そのデータが記憶されることになる。
【００４４】
また、１次入力用センサ６への指などの接触箇所が所定時間内に移動したと検知されたときなどに、他の入力モード（座標入力モード）が設定されていると認識するプログラムを挙げることができる。このモードでは、１次入力用センサ６の表面を指などが移動したことによる軌跡により座標データが生成されるとともに、座標データに応じた出力信号が生成され、表示手段２の表示部５ａの所定位置に、入力に応じた軌跡からなる画像が仮表示されることになる。そして、予め設定されている指示表示１２ａの指示項目に対応する２次入力用スイッチ７が操作されると、仮表示されている座標データが入力情報として確定して実表示されるとともに、そのデータが記憶されることになる。
【００４５】
つぎに、前述した構成からなる本実施形態の作用について入力方法とともに説明する。
【００４６】
図６は本発明の入力方法の実施形態を示すフローチャート、図７は本発明の入力方法の実施形態における初期状態の入力手段および表示手段の状態を説明する説明図、図８は本発明の入力方法の実施形態における１次入力操作状態を説明する説明図、図９は本発明の入力方法の実施形態における２次入力操作状態を説明する説明図である。
【００４７】
本実施形態の入力装置１による入力方法は、指示表示入力モード時における入力方法を例示している。
【００４８】
図６に示す実施形態の入力装置１による入力方法のフローチャートは、前記制御手段１３における制御を具体的に示すものである。
【００４９】
まず、ステップＳＴ01において、初期状態とする。この初期状態においては、図７に示すように、入力手段３は操作されておらず、表示手段２を構成する表示パネル５の表示部５ａは何も表示されていない非表示状態（初期表示画面）を保持している。また、２次入力用スイッチ７は、図３に示すように、固定電極８と可動電極９とが非接触状態を保持している。
【００５０】
つぎに、ステップＳＴ02において、１次入力操作「有」、すなわち１次入力用センサ６の表面が操作者の指などによって操作されたか否かを判断する。
【００５１】
前記ステップＳＴ02の判断が１次入力操作「有」のＹＥＳの場合には、つぎのステップＳＴ03に進行し、ステップＳＴ03において、仮表示を実行、すなわち１次入力用センサ６に対する操作により得られる入力情報を出力データに変換して表示パネル５の表示部５ａに入力情報を仮表示し、つぎのステップＳＴ04に進行する。
【００５２】
例えば、図８に示すように、１次入力用センサ６を操作する操作者の指の位置が、表示シート１２の指示表示１２ａの数値の「７」の位置にある場合には、メモリ１５に記憶されているプログラムおよびデータに基づいて、「７」を仮表示するための出力データが生成され、この出力データは、表示パネル５の表示部５ａに、表示シート１２の指示表示１２ａと同一の位置関係を保持した状態で「７」の点滅表示などによって仮表示する。
【００５３】
なお、仮表示としては、前述したように、表示の点滅、輝度の差、色の違いなどから選択することができる。
【００５４】
前記ステップＳＴ02の判断が、１次入力操作が実行されていないＮＯの場合には、１次入力操作が実行されるまで初期状態を保持する。
【００５５】
つぎに、ステップＳＴ04において、表示パネル５の表示部５ａに仮表示された入力情報についてキャンセル「有」か否かを判断する。このキャンセルの有無の判断は、例えば、前述のように、前記一次入力用センサ６と同様の構成のキャンセル用センサを前記入力装置に配設し、キャンセル用センサに対する接触操作を待って、仮表示された内容をキャンセルする処理を行うように制御する構成とされている場合には、前記キャンセル用センサの接触操作の有無で判断することができる。また、入力情報が仮表示されてから一定時間、実表示とする操作が行われない場合に仮表示された内容をキャンセルする処理を行うように制御する構成とされている場合には、その予め設定された一定時間の経過、または、電極の接触状態（指を離した状態）を監視することで判断することができる。
【００５６】
そして、前記ステップＳＴ04の判断がＹＥＳの場合には、再び、ステップＳＴ01へ戻り、現在表示されている仮表示をキャンセルして初期状態に戻す処理を行う。
【００５７】
次いで、ステップＳＴ04の判断がＮＯの場合には、つぎのステップＳＴ05に進行し、ステップＳＴ05において、続く１次入力操作が有るか否か、すなわち続いて１次入力用センサ６の表面が操作者の指などによって操作されたか否かを判断する。
【００５８】
前記ステップＳＴ05の判断が、続いて１次入力操作「有」を示すＹＥＳの場合には、つぎのステップＳＴ06に進行し、ステップＳＴ06において、仮表示を実行、すなわち１次入力用センサ６に対する操作により得られる入力情報を出力データに変換して表示パネル５の表示部５ａに入力情報を先に表示されている仮表示に続けて仮表示し、つぎのステップＳＴ07に進行する。
また、前記ステップＳＴ05の判断が、続く１次入力操作がない状態であるＮＯの場合には、そのままつぎのステップＳＴ07に進行する。
【００５９】
そして、ステップＳＴ07において、表示パネル５の表示部５ａに仮表示された、１次入力用センサ６に対する連続操作により得られる入力情報についてキャンセル「有」か否かを判断する。
【００６０】
そして、前記ステップＳＴ07の判断がＹＥＳの場合には、再び、ステップＳＴ01へ戻り、現在表示されている全ての仮表示をキャンセルして初期状態に戻す処理を行う。
【００６１】
また、前記ステップＳＴ07の判断がＮＯの場合には、つぎのステップＳＴ08に進行し、２次入力操作「有」、すなわち２次入力用スイッチ７が操作者の指などによって押し込まれて、図４に示すように、２次入力用スイッチ７の可動電極９が固定電極８に接触するＯＮ操作がされたか否かを判断する。
【００６２】
前記ステップＳＴ08の判断が２次入力操作「有」のＹＥＳの場合には、つぎのステップＳＴ09に進行し、ステップＳＴ09において、実表示の実行、すなわち２次入力用スイッチ７に対する操作により入力情報を確定し、終了する。この入力情報の確定は、メモリ１５に記憶されているプログラムおよびデータに基づいて、例えば図７に示す表示パネル５の表示部５ａに表示されている「７」の点滅表示による仮表示を、図９に示す表示パネル５の表示部５ａに表示されている単なる「７」の点灯表示による実表示とすることにより実行する。この時、入力が確定したことを、表示による視覚に加えて警告音などの聴覚により操作者に告知することがより好ましい。
【００６３】
なお、輝度の差を用いて仮表示および実表示の表示を行う場合には、仮表示の輝度を高く、実表時の輝度を低くするとよい。
【００６４】
また、色の違いを用いて仮表示および実表示の表示を行う場合には、仮表示の色を明るくて鮮やかな３原色あるいは黒色または白などとし、実表時の輝度を他の色とするとよい。
【００６５】
また、仮表示の表示を行う場合は、表示部を大きくするとよい。
【００６６】
また、前記ステップＳＴ08の判断が２次入力操作が実行されていない状態であるＮＯの場合には、再び、前記ステップＳＴ05へ戻り、さらに１次入力操作が有るか否か、すなわち、続いて１次入力用センサ６の表面が操作者の指などによって操作されたか否かを判断する。
【００６７】
こうして、全ての一次入力操作が終わり、２次入力操作が実行されるまで、ステップＳＴ07において、仮表示の内容をキャンセルする処理を行う以外は前記ステップＳＴ05乃至ステップＳＴ08の処理を継続する。
【００６８】
このように本実施形態の入力方法および入力装置１によれば、１次入力用センサ６を操作する１次入力操作により得られる入力情報を表示パネル５の表示部５ａで仮表示することにより操作者にフィードバックした後、２次入力用スイッチ７を操作する２次入力操作により入力を確定することができるので、入力を確定する前の入力情報を仮表示によって操作者が予め認識できる。その結果、表示パネル５の表示部５ａに仮表示された入力情報について入力ミス等があった場合には、仮表示をキャンセルする処理を行うことで、実表示の入力ミスを確実かつ容易に防止することができる。
【００６９】
したがって、本実施形態の入力方法および入力装置１によれば、操作者が正確な入力操作を確実かつ容易に行うことができる。
【００７０】
なお、本実施形態の入力装置１による座標入力モード時における入力方法としては、例えば表示シート１２の指示表示１２ａの「＃」の下方に配置された２次入力用スイッチ７を入力確定スイッチとして用いることにより行う。そして、１次入力用センサ６の表面を指などが移動したことによる軌跡に基づいてを、その軌跡を仮表示するための出力データが生成され、この出力データを、表示パネル５の表示部５ａに点滅表示などによって仮表示する。その後、入力確定スイッチとして機能する２次入力用スイッチ７、すなわち表示シート１２の指示表示１２ａの「＃」を操作者が押圧することにより入力を確定し、表示部５ａに表示されている仮表示を実表示として終了するとよい。
【００７１】
すなわち、第２入力手段としての２次入力用スイッチ７の数を単数とし、この単数の２次入力用スイッチ７により、第１入力手段としての１次入力用センサ６による座標入力の入力を確定するように構成するとよい。
【００７２】
図１０および図１１は本発明に係る入力方法を適用した入力装置の第２実施形態を示すものであり、図１０は要部の外観図、図１１は要部の機能ブロック図である。なお、前述した第１実施形態の入力装置と同一ないし相当する構成については、図面中に同一の符号を付し、その詳しい説明は省略する。
【００７３】
本実施形態の入力装置１Ａは、前述した第１実施形態の入力装置１における表示手段２を制御手段１３、詳しくは第１入力手段としての１次入力用センサ６、第２入力手段としての２次入力用スイッチ７および制御手段１３と別体としたものである。
【００７４】
すなわち、本実施形態の入力装置１Ａは、図１０および図１１に示すように、既存のテレビ受信機などの各種の表示手段２１を有する出力機器２２に対する入力操作を遠隔操作によって行うリモートコントローラとしたものである。この入力装置１Ａのリモコン本体２３は、前述した第１実施形態の入力装置１と同様の表示手段２を有しておらず、前述した第１実施形態の入力装置１と同様の入力手段３および制御手段１３を有している。そして、リモコン本体２３と出力機器２２とは、従来公知の如く、赤外線あるいは電波などを用いた無線や、ケーブルを用いた有線などの各種の伝送路によって接続されている。勿論、無線を用いる場合には、リモコン本体２３および出力機器２２のそれぞれに所定の通信手段が配設されることになる。
【００７５】
前記出力機器２２の表示手段２１は、前述した第１実施形態の入力装置１の表示手段２を兼用するように形成されており、表示手段２１の表示部２１ａで、所定の出力画像の表示に加えて、前述した第１実施形態の入力装置１の表示手段２と同様に、１次入力操作により得られる入力情報の仮表示と、２次入力操作により得られる実表示の実行とを行うことができるように形成されている。
【００７６】
なお、仮表示および実表時は、出力機器２２に重畳回路を搭載し、出力画像と仮表示および実表時を重畳表示するとよい。
【００７７】
また、出力機器２２に、専用の表示手段２を設ける構成としてもよい。
【００７８】
その他の構成については、前述した第１実施形態の入力装置１と同様とされているので、その詳しい説明は省略する。
【００７９】
このような構成からなる本実施形態の入力装置１Ａによれば、前述した第１実施形態の入力装置１と同様の効果を奏することができるとともに、既存の出力機器２２に大幅な変更を加えることなく、既存の出力機器２２の入力操作に用いることができる。
【００８０】
なお、本発明は、前述した各実施形態に限定されるものではなく、必要に応じて種々の変更が可能である。
【図面の簡単な説明】
【００８１】
【図１】本発明に係る入力方法を適用した入力装置の第１実施形態の要部を示す模式的斜視図
【図２】図１の入力装置の入力手段の要部を示す模式的拡大分解斜視図
【図３】図１の入力装置の入力手段の要部を示す模式的拡大縦断面図
【図４】図１の入力装置の２次入力スイッチのＯＮ操作状態を示す説明図
【図５】図１の入力装置の要部を示す機能ブロック図
【図６】本発明の入力方法の実施形態を示すフローチャート
【図７】本発明の入力方法の実施形態における初期状態の入力手段および表示手段の状態を説明する説明図
【図８】本発明の入力方法の実施形態における１次入力操作状態を説明する説明図
【図９】本発明の入力方法の実施形態における２次入力操作状態を説明する説明図
【図１０】本発明に係る入力方法を適用した入力装置の第２実施形態の要部を示す外観図
【図１１】図１０の入力装置の要部を示す機能ブロック図
【符号の説明】
【００８２】
１、１Ａ  入力装置
２、２１  表示手段
３  入力手段
５  表示パネル
５ａ、２１ａ  表示部
６  １次入力センサ
７  ２次入力用スイッチ
８  固定電極
９  可動電極
１０  プリント配線板
１１  ステムシート
１２  表示シート
１３  制御手段
１４  ＣＰＵ
１５  メモリ
２２  出力機器
２３  リモコン本体
【図１】
2005316931.tif 000003
【図２】
2005316931.tif 000004
【図３】
2005316931.tif 000005
【図４】
2005316931.tif 000006
【図５】
2005316931.tif 000007
【図６】
2005316931.tif 000008
【図７】
2005316931.tif 000009
【図８】
2005316931.tif 000010
【図９】
2005316931.tif 000011
【図１０】
2005316931.tif 000012
【図１１】
2005316931.tif 000013